(57)【要約】【課題】本発明は、機械室の床に敷設されたシンダーコンクリートの加工を最小限に抑えつつ、床に機器を強固に固定することができるエレベーター機器用取付具及びエレベーター機器の取付方法を提供することを目的とする。【解決手段】本発明に係るエレベーター機器用取付具は、エレベーターの機械室の床に機器を固定する取付具であって、上下方向に貫通した取付穴６が形成された支持部２と、上下方向から見て取付穴６と重なる位置で支持部２よりも下方に突出した筒部３と、を備えたものである。【選択図】図５
2018118797.tif 000002
【特許請求の範囲】
【請求項１】
エレベーターの機械室の床に機器を固定する取付具であって、
上下方向に貫通した取付穴が形成された支持部と、
上下方向から見て前記取付穴と重なる位置で前記支持部よりも下方に突出した筒部と、
を備えたエレベーター機器用取付具。
【請求項２】
前記筒部のうち前記支持部よりも下方に突出した部分の長さは、前記機械室の床に敷設されたシンダーコンクリートの厚さ以上である請求項１に記載のエレベーター機器用取付具。
【請求項３】
前記取付穴は、
上下方向から見た前記支持部の長手方向における中心から一端に向かって一定距離の位置に形成された第１の取付穴と、
上下方向から見た前記支持部の長手方向における中心から他端に向かって当該一定距離の位置に形成された第２の取付穴と、
を含む請求項１又は２に記載のエレベーター機器用取付具。
【請求項４】
前記支持部は、
板状を呈し、前記取付穴が形成された基部と、
板状を呈し、上下方向から見た前記基部の長辺に相当する端部から上方に延びる壁部と、
を有する請求項１から３のいずれか１項に記載のエレベーター機器用取付具。
【請求項５】
エレベーターの機械室の床に敷設されたシンダーコンクリートに穴を形成することでスラブを露出させる掘削工程と、
エレベーター機器用取付具の支持部よりも下方に突出した筒部が前記シンダーコンクリートに形成された穴に入った状態で前記エレベーター機器用取付具を配置する配置工程と、
前記支持部に形成された取付穴から前記筒部に挿入されたアンカーボルトで前記エレベーター機器用取付具をスラブに固定する固定工程と、
前記支持部に機器を取り付ける取付工程と、
を備えたエレベーター機器の取付方法。
【請求項６】
前記配置工程は、一対の前記エレベーター機器用取付具を向かい合わせに配置する工程を含み、
前記取付工程は、一方の前記エレベーター機器用取付具の前記支持部に前記機器の筐体の一側を支持させ、他方の前記エレベーター機器用取付具の前記支持部に前記機器の筐体の他側を支持させる工程を含む請求項５に記載のエレベーター機器の取付方法。
【発明の詳細な説明】
【技術分野】
【０００１】
本発明は、エレベーター機器用取付具及びエレベーター機器の取付方法に関する。
【背景技術】
【０００２】
エレベーターの機械室の床は、例えば、スラブ及びスラブの上に敷設されたシンダーコンクリートを備える。機械室の床に設置される機器は、例えば、取付具を介してスラブに固定される。機械室の床に機器を設置する技術として、例えば、下記特許文献１に記載されたものがある。
【先行技術文献】
【特許文献】
【０００３】
【特許文献１】特開２００５−０６７８８０号公報
【発明の概要】
【発明が解決しようとする課題】
【０００４】
例えば、エレベーターの改修工事において、新しい制御盤等の機器が機械室の床に設置される。従来、新しい機器を強固に固定するためには、例えば、機械室の床からシンダーコンクリートを撤去する必要があった。この場合、機器の取り付けに手間を要する。一方、シンダーコンクリートを撤去しない場合、充分な強度で機器を固定することができない。
【０００５】
本発明は、上記の課題を解決するためになされた。その目的は、機械室の床に敷設されたシンダーコンクリートの加工を最小限に抑えつつ、床に機器を強固に固定することができるエレベーター機器用取付具及びエレベーター機器の取付方法を提供することである。
【課題を解決するための手段】
【０００６】
本発明に係るエレベーター機器用取付具は、エレベーターの機械室の床に機器を固定する取付具であって、上下方向に貫通した取付穴が形成された支持部と、上下方向から見て取付穴と重なる位置で支持部よりも下方に突出した筒部と、を備えたものである。
【０００７】
本発明に係るエレベーター機器の取付方法は、エレベーターの機械室の床に敷設されたシンダーコンクリートに穴を形成することでスラブを露出させる掘削工程と、エレベーター機器用取付具の支持部よりも下方に突出した筒部がシンダーコンクリートに形成された穴に入った状態でエレベーター機器用取付具を配置する配置工程と、支持部に形成された取付穴から筒部に挿入されたアンカーボルトでエレベーター機器用取付具をスラブに固定する固定工程と、支持部に機器を取り付ける取付工程と、を備えたものである。
【発明の効果】
【０００８】
本発明において、エレベーター機器用取付具は、支持部よりも下方に突出した筒部を備える。このため、本発明によれば、機械室の床に敷設されたシンダーコンクリートの加工を最小限に抑えつつ、床に機器を強固に固定することができる。
【図面の簡単な説明】
【０００９】
【図１】実施の形態１におけるエレベーター機器用取付具の斜視図である。
【図２】実施の形態１におけるエレベーター機器用取付具の側面図である。
【図３】実施の形態１におけるエレベーター機器用取付具の平面図である。
【図４】実施の形態１におけるエレベーター機器用取付具の正面から見た断面図である。
【図５】実施の形態１におけるエレベーター機器用取付具が機械室の床に固定された状態を示す断面図である。
【図６】実施の形態１におけるエレベーター機器用取付具を用いて機器が取り付けられた状態の一例を示す斜視図である。
【発明を実施するための形態】
【００１０】
添付の図面を参照して、エレベーター機器用取付具及びエレベーター機器の取付方法を詳細に説明する。各図では、同一又は相当する部分に同一の符号を付している。重複する説明は、適宜簡略化あるいは省略する。
【００１１】
実施の形態１．
図１は、実施の形態１におけるエレベーター機器用取付具の斜視図である。図２は、実施の形態１におけるエレベーター機器用取付具の側面図である。図３は、実施の形態１におけるエレベーター機器用取付具の平面図である。図４は、実施の形態１におけるエレベーター機器用取付具の正面から見た断面図である。
【００１２】
図１から図４に示すように、エレベーター機器用取付具１は、支持部２及び筒部３を備える。支持部２は、基部４及び壁部５を備える。基部４及び壁部５は、例えば、板状を呈する。基部４には、上下方向に貫通した取付穴６が形成されている。壁部５には、例えば、水平方向に貫通した取付穴７が形成されている。
【００１３】
筒部３の内部には、上下方向に沿った空洞が形成されている。当該空洞は、筒部３の上端及び下端で外部に通じる。筒部３は、上下方向から見て取付穴６と重なる位置で基部４の下端よりも下方に突出している。基部４の上方の空間は、取付穴６及び筒部３の内側を介して筒部３の下方の空間に通じる。
【００１４】
筒部３の断面形状は、例えば、円形であってもよい。筒部３の断面形状は、例えば、多角形であってもよい。
【００１５】
基部４は、例えば、水平方向に沿った板状を呈する。壁部５は、例えば、上下方向に沿った板状を呈する。壁部５は、例えば、上下方向から見た基部４の長辺に相当する端部のうち一方から上方に延びる。壁部５は、例えば、基部４の下端よりも下方に突出しない。つまり、支持部２の長手方向から見た断面形状は、例えば、Ｌ字状を呈する。
【００１６】
基部４には、例えば、複数の取付穴６が形成されている。筒部３は、取付穴６のそれぞれに対応して設けられている。
【００１７】
複数の取付穴６は、例えば、基部４の短手方向において同じ位置に形成されている。複数の取付穴６は、例えば、基部４の長手方向に沿って並ぶように形成されている。複数の取付穴６は、例えば、基部４の長手方向における中心を基準として均等な位置に形成されている。
【００１８】
図１から図４は、基部４の取付穴６が２つである場合を例示している。この場合、第１の取付穴６は、例えば、上下方向から見た基部４の長手方向における中心から一端に向かって一定距離の位置に形成される。この場合、第２の取付穴６は、例えば、上下方向から見た基部４の長手方向における中心から他端に向かって当該一定距離の位置に形成される。
【００１９】
壁部５には、例えば、複数の取付穴７が形成されている。壁部５の取付穴７の個数は、基部４の取付穴６の個数と異なってもよい。
【００２０】
複数の取付穴７は、例えば、壁部５の短手方向において同じ位置に形成されている。複数の取付穴７は、例えば、壁部５の長手方向に沿って並ぶように形成されている。複数の取付穴７は、例えば、壁部５の長手方向における中心を基準として均等な位置に形成されている。
【００２１】
図１から図４は、壁部５の取付穴７が２つである場合を例示している。この場合、第１の取付穴７は、例えば、正面から見た壁部５の長手方向における中心から一端に向かって一定距離の位置に形成される。この場合、第２の取付穴７は、例えば、上下方向から見た壁部５の長手方向における中心から他端に向かって当該一定距離の位置に形成される。
【００２２】
エレベーター機器用取付具１は、例えば、鉄等の金属材料で形成される。支持部２は、基部４と壁部５とが互いに固定された状態に形成される。筒部３は、基部４に対して固定された状態に形成される。
【００２３】
支持部２は、例えば、基部４に相当する部材に対して壁部５に相当する部材を溶接することで形成されてもよい。支持部２は、例えば、基部４及び壁部５を一体成形することで形成されてもよい。支持部２は、例えば、１つの板状部材を折り曲げることで形成されてもよい。
【００２４】
筒部３は、例えば、基部４に相当する部材に対して筒状の部材を溶接することで形成されてもよい。筒部３は、例えば、基部４に相当する部材に対して筒状の部材を圧入することで形成されてもよい。筒部３は、例えば、基部４と一体成形することで形成されてもよい。
【００２５】
図５は、実施の形態１におけるエレベーター機器用取付具が機械室の床に固定された状態を示す断面図である。図５は、エレベーター機器用取付具１を正面から見た状態を示している。
【００２６】
図５に示すように、機械室の床は、スラブ８及びシンダーコンクリート９を備える。シンダーコンクリート９は、スラブ８の上に敷設されている。なお、シンダーコンクリート９は、石炭殻等を使用していない軽量コンクリートであってもよい。
【００２７】
図５に示すように、スラブ８には、穿孔穴１０が形成されている。機械室の床において、穿孔穴１０に対応する位置では、シンダーコンクリート９に穴が形成されたことでスラブ８が露出させられている。エレベーター機器用取付具１は、シンダーコンクリート９に形成された穴に筒部３が入った状態で配置されている。筒部３の下端は、スラブ８の上面に接している。筒部３及び穿孔穴１０には、アンカーボルト１１が挿入されている。エレベーター機器用取付具１は、アンカーボルト１１でスラブ８に固定されている。
【００２８】
アンカーボルト１１は、例えば、穿孔穴１０の内部で拡張した下端部がスラブ８に噛み込むことで固定されている。アンカーボルト１１は、例えば、上端部のナットが締め付けられることでエレベーター機器用取付具１をスラブ８に固定している。
【００２９】
エレベーター機器用取付具１が機械室の床に固定された状態において、基部４の下端は、例えば、シンダーコンクリート９の上面に接触してもよい。当該状態において、基部４の下端は、例えば、シンダーコンクリート９の上面よりも高い位置にあってもよい。つまり、筒部３のうち基部４の下端よりも下方に突出した部分の長さは、機械室の床に敷設されたシンダーコンクリート９の厚さ以上に設定されている。
【００３０】
図６は、実施の形態１におけるエレベーター機器用取付具を用いて機器が取り付けられた状態の一例を示す斜視図である。
【００３１】
図６に示すように、機器の筐体１２は、例えば、壁部５の取付穴７及び留め具１３を介して支持部２に取り付けられている。機器は、例えば、エレベーターの制御盤等である。留め具１３は、例えば、ボルト及びナット等である。
【００３２】
図６は、一対のエレベーター機器用取付具１を用いて機器が取り付けられた場合を例示している。この場合、２つのエレベーター機器用取付具１は、例えば、壁部５の背面同士が対向するように、向かい合わせに配置されている。機器の筐体１２の一側の面は、一方のエレベーター機器用取付具１の支持部２に支持されている。機器の筐体１２の他側の面は、他方のエレベーター機器用取付具１の支持部２に支持されている。
【００３３】
実施の形態１において、エレベーター機器用取付具１は、エレベーターの機械室の床に機器を固定する取付具である。支持部２には、上下方向に貫通した取付穴６が形成されている。筒部３は、上下方向から見て取付穴６と重なる位置で支持部２の下端よりも下方に突出している。このため、実施の形態１によれば、筒部３が入るスペースを作るためにシンダーコンクリート９の一部分を除去するだけで、機械室にエレベーター機器用取付具１を設置できる。また、筒部３の厚さを適切に設定することで、地震等による横荷重に対する強度を確保できる。その結果、機械室の床に敷設されたシンダーコンクリートの加工を最小限に抑えつつ、床に機器を強固に固定することができる。これにより、例えば、エレベーターの改修作業を効率化できる。
【００３４】
実施の形態１において、筒部３のうち支持部２よりも下方に突出した部分の長さは、機械室の床に敷設されたシンダーコンクリート９の厚さ以上である。シンダーコンクリート９の厚さは機械室ごとに異なり得るが、一般的に想定されるシンダーコンクリート９の厚さよりも充分に大きく当該部分の長さを設定しておけばよい。このため、実施の形態１によれば、スラブ８に筒部３が接した状態でエレベーター機器用取付具１を設置できる。
【００３５】
実施の形態１において、取付穴６は、例えば、第１の取付穴６及び第２の取付穴６を含む。第１の取付穴６は、例えば、上下方向から見た支持部２の長手方向における中心から一端に向かって一定距離の位置に形成されている。第２の取付穴６は、例えば、上下方向から見た支持部２の長手方向における中心から他端に向かって当該一定距離の位置に形成されている。このため、実施の形態１によれば、エレベーター機器用取付具１を安定的に設置できる。
【００３６】
実施の形態１において、支持部２は、例えば、基部４及び壁部５を有する。基部４は、例えば、水平方向に沿った板状を呈し、取付穴６が形成されている。壁部５は、例えば、上下方向に沿った板状を呈し、上下方向から見た基部４の長辺に相当する端部から上方に延びる。このため、実施の形態１によれば、エレベーター機器用取付具１の強度を高めることができる。
【００３７】
実施の形態１において、エレベーター機器の取付方法は、例えば、掘削工程、穿孔工程、配置工程、固定工程及び取付工程を備える。掘削工程は、エレベーターの機械室の床に敷設されたシンダーコンクリート９に穴を形成することでスラブ８を露出させる工程である。穿孔工程は、機械室の床におけるスラブ８が露出した部分に穿孔穴１０を形成する工程である。配置工程は、エレベーター機器用取付具１の支持部２よりも下方に突出した筒部３がシンダーコンクリート９に形成された穴に入った状態でエレベーター機器用取付具１を配置する工程である。固定工程は、支持部２に形成された取付穴６から下向きに筒部３の内側及び穿孔穴１０に挿入されたアンカーボルト１１でエレベーター機器用取付具１をスラブ８に固定する工程である。取付工程は、支持部２に機器を取り付ける工程である。このため、実施の形態１によれば、掘削工程においてシンダーコンクリート９の一部分を除去するだけで、機械室にエレベーター機器用取付具１を設置できる。その結果、機械室の床に敷設されたシンダーコンクリートの加工を最小限に抑えつつ、床に機器を強固に固定することができる。これにより、例えば、エレベーターの改修作業を効率化できる。
【００３８】
なお、例えば、機械室の床のスラブ８に元から穴が存在する場合は、固定工程において当該穴を利用してアンカーボルト１１を固定してもよい。この場合、穿孔工程を省略してもよい。
【００３９】
実施の形態１において、配置工程は、例えば、一対のエレベーター機器用取付具１を向かい合わせに配置する工程を含む。取付工程は、例えば、一方のエレベーター機器用取付具１の支持部２に機器の筐体１２の一側を支持させ、他方のエレベーター機器用取付具１の支持部２に機器の筐体１２の他側を支持させる工程を含む。このため、実施の形態１によれば、２つのエレベーター機器用取付具１を用いることで、機器を安定的に固定できる。
【００４０】
実施の形態１において、筒部３は、例えば、基部４よりも上方に突出していてもよい。この場合であっても、筒部３が基部４の下端よりも下方に突出していれば、エレベーター機器用取付具１を設置するために必要となるシンダーコンクリートの加工を最小限に抑えることができる。
【００４１】
実施の形態１において、壁部５は、例えば、上下方向から見た基部４の長辺に相当する端部でない位置に形成されてもよい。つまり、支持部２の長手方向から見た断面形状は、例えば、Ｔ字状等を呈してもよい。この場合であっても、エレベーター機器用取付具１の強度を高めることができる。
【００４２】
実施の形態１において、例えば、エレベーター機器用取付具１を床に固定可能であれば、基部４の取付穴６及び筒部３の個数は１つであってもよい。また、例えば、機器の筐体１２を支持可能であれば、壁部５の取付穴７の個数は１つであってもよい。
【００４３】
実施の形態１におけるエレベーター機器用取付具１は、例えば、シンダーコンクリート９が敷設されていない床に設置してもよい。この場合であっても、床に機器を強固に固定することができる。
【符号の説明】
【００４４】
１  エレベーター機器用取付具
２  支持部
３  筒部
４  基部
５  壁部
６  取付穴
７  取付穴
８  スラブ
９  シンダーコンクリート
１０  穿孔穴
１１  アンカーボルト
１２  筐体
１３  留め具
【図１】
2018118797.tif 000003
【図２】
2018118797.tif 000004
【図３】
2018118797.tif 000005
【図４】
2018118797.tif 000006
【図５】
2018118797.tif 000007
【図６】
2018118797.tif 000008